(57)【要約】  電気コネクタは、少なくとも１つのケーブルコネクタ（２２０）を内部に有する絶縁性キャリア（２１０）を含む。キャリア（２１０）は、突出した複数の信号ピン（１０４）および複数のシールドブレード（１０６）を有するヘッダ（１００）と係合するように構成される。各ケーブルコネクタ（２２０）は対応するケーブル（２７０）を終端し、絶縁性内部筐体（２２６）を有する導電性外部筐体（２２２）を含む。内部筐体（２２６）は、第１および第２の導電性端子（２２８、２３０）を互いに、かつ外部筐体（２２２）から電気的に絶縁した状態に保つ。内部筐体（２２６）は、第１の端子（２２８）と第２の端子（２３０）との間でシールドブレード（１０６）を受けるように構成される。外部筐体（２２２）は、第１の端子（２２８）と第２の端子（２３０）との間で受けたシールドブレード（１０６）と電気的に結合するための第１の接点（２４０）を含む。
2007535112.tif 000002
【特許請求の範囲】
【請求項１】
絶縁性キャリア（２１０）と、
該キャリア（２１０）に位置決めされた少なくとも１つのケーブルコネクタ（２２０）と
を備える電気コネクタであって、
各ケーブルコネクタ（２２０）は、絶縁性内部筐体（２２６）を内部に有する導電性外部筐体（２２２）を備え、前記内部筐体（２２６）は、第１および第２の導電性端子（２２８、２３０）を互いに、かつ前記外部筐体（２２２）から電気的に絶縁させた状態に保ち、前記第１の端子（２２８）と第２の端子（２３０）との間でシールドブレード（１０６）を受けるように構成され、前記外部筐体（２２２）は、前記第１の端子（２２８）と第２の端子（２３０）との間で受けた前記シールドブレード（１０６）と電気的に結合するための第１の接点（２４０）を含む、電気コネクタ。
【請求項２】
前記外部筐体（２２２）は、該外部筐体の外面にある第２のシールドブレード（１０６）と電気的に結合するための第２の接点（２４２ａ）と、該外部筐体（２２２）の外面にある第３のシールドブレード（１０６）と電気的に結合するための第３の接点（２４２ｂ）をさらに備える、請求項１に記載の電気コネクタ。
【請求項３】
前記少なくとも１つのケーブルコネクタ（２２０）を前記キャリアに固定するための保持クリップ（２２６）をさらに備える、請求項１に記載の電気コネクタ。
【請求項４】
各ケーブルコネクタ（２２０）に対応するケーブル（２７０）をさらに備え、各ケーブルコネクタ（２２０）は前記対応するケーブル（２７０）を終端する、請求項１に記載の電気コネクタ。
【請求項５】
前記導電性外部筐体（２２２）は前記対応するケーブル（２７０）のシールド（２７２）に電気的に接続される、請求項４に記載の電気コネクタ。
【請求項６】
前記第１の端子（２２８）の一端は前記対応するケーブル（２７０）の第１の信号線（２３５）に接続され、前記第２の端子（２３０）の一端は前記対応するケーブル（２７０）の第２の信号線（２３５）に接続される、請求項４に記載の電気コネクタ。
【請求項７】
前記ケーブル（２７０）は同軸ケーブルである、請求項４に記載の電気コネクタ。
【請求項８】
前記ケーブル（２７０）は二軸ケーブルである、請求項４に記載の電気コネクタ。
【請求項９】
前記キャリア（２１０）と係合して、前記ケーブル（２７０）を該コネクタの係合方向に対して角度をなすようにガイドするケーブルシュラウド（２６９）をさらに備える、請求項４に記載の電気コネクタ。
【請求項１０】
前記ケーブル（２７０）は前記ケーブルの直径の１０倍以下の曲げ半径を有する、請求項９に記載の電気コネクタ。
【請求項１１】
突出した複数の信号ピン（１０４）および複数のシールドブレード（１０６）を有するヘッダ本体（１０２）を備えるヘッダコネクタ（１００）をさらに備え、前記絶縁性キャリア（２１０）は前記ヘッダコネクタ（１００）と係合するように構成される、請求項１に記載の電気コネクタ。
【請求項１２】
前記複数のシールドブレード（１０６）はそれぞれ、前記複数の信号ピン（１０４）のうちの対応する信号ピン（１０４）に隣接して配置されるように構成された略直角シールド部（１２８）を有する、請求項１１に記載の電気コネクタ。
【請求項１３】
前記複数の信号ピン（１０４）および複数のシールドブレード（１０６）は、該複数のシールドブレード（１０６）の前記略直角シールド部（１２８）が前記複数の信号ピン（１０４）を実質的に囲み、前記複数の信号ピン（１０４）のそれぞれの周囲に同軸シールドを形成するように前記ヘッダ本体（１０２）に配置される、請求項１２に記載の電気コネクタ。
【請求項１４】
前記複数のシールドブレード（１０６）は材料の連続ストリップで形成され、プリント回路基板（３０）と係合するように構成される少なくとも１つのテール（１４８）を含む、請求項１１に記載の電気コネクタ。
【発明の詳細な説明】
【技術分野】
【０００１】
本発明は、電気コネクタに関し、特に、電気信号伝送ケーブルをプリント回路基板に取り付けるための低インダクタンス高速電気コネクタに関する。
【背景技術】
【０００２】
高周波信号および大きな電流を伝える導体は、高周波信号および大きな電流を伝えている他の導体の近傍に配置されると干渉およびクロストークを受ける。この干渉およびクロストークは、信号の劣化および信号受信時のエラーを生じさせる。シールドケーブルは、信号を送信点から受信点まで伝えるために利用することができ、あるシールドケーブルまたは同軸ケーブルで伝えられている信号が、近傍にある別のシールドケーブルまたは同軸ケーブルで伝えられている信号に干渉する危険性を低減する。しかし、プリント回路基板への接続等の接続点で、多くの場合に信号のシールドが失われ、それによって信号間の干渉およびクロストークが発生する。個々のシールド配線およびケーブルを使用することは、多くの場合、多数の接続を非常に小さなスペースで行う必要性から接続点では望ましくない。こういった状況では、シールド導電路を含む二部高速電気コネクタ(two-part high-speed electrical connectors)が使用される。
【発明の開示】
【発明が解決しようとする課題】
【０００３】
シールド導電路を含む高速電気コネクタでは、コネクタ内の各信号線に安定したインピーダンス特性を提供することが望ましい。不安定なインピーダンス特性は送信信号に望ましくない歪みを生じさせ、安定したインピーダンス特性は、周波数が高くなるにつれ、かつ電流が増えるにつれてその重要度を増す。不安定なインピーダンス特性は、たとえば、信号線に連結された接地路が故障していること、または２本の信号線間の接地路が不十分であることによって生じる。高周波信号および大きな電流の遮蔽信頼性を高めた高速電気コネクタが必要とされる。
【課題を解決するための手段】
【０００４】
本明細書に記載する発明は、電気信号伝送ケーブルをプリント回路基板に取り付けるための高速電気コネクタを提供する。本発明による一実施形態では、コネクタは、ケーブルの第１の信号線に電気的に接続するように構成された第１の端子、およびケーブルの第２の信号線に電気的に接続するように構成された第２の端子を備える。電気的絶縁性内部筐体が、第１および第２の端子を互いに電気的に絶縁した状態に保つように構成され、その中に第１の相手方接地接触子(first mating ground contact)を受けるためのキャビティも含む。導電性外部筐体は、内部筐体、第１の端子、および第２の端子を受けるとともに、ケーブルのシールドと電気的に結合する。外部筐体は、内部筐体のキャビティで受ける第１の相手方接地接触子と電気的に結合するための接点を含む。
【０００５】
本発明による別の実施形態では、電気ソケットコネクタが、ヘッダコネクタと係合するように構成された絶縁性キャリアを備える。キャリア内には、対応するケーブルを終端させる少なくとも１つのケーブルコネクタが位置決めされる。各ケーブルコネクタは、対応するケーブルのシールドに電気的に接続された導電性外部筐体を備える。外部筐体は、第１および第２の導電性端子を互いに、かつ外部筐体から電気的に絶縁した状態に保つ絶縁性内部筐体を内部に有する。端子の一端は、対応するケーブルの信号線に接続される。内部筐体は、シールドブレードを第１の端子と第２の端子との間で受けるように構成される。外部筐体は、第１の端子と第２の端子との間で受けたシールドブレードと電気的に結合するための第１の接点、外部筐体の外面にある第２のシールドブレードと電気的に結合するための第２の接点、および外部筐体の外面にある第３のシールドブレードと電気的に結合するための第３の接点を含む。
【０００６】
本発明による別の実施形態では、電気コネクタシステムが、複数の信号ピンおよび複数のシールドブレードがそこから突出したヘッダ本体を有するヘッダコネクタを備える。電気的絶縁性キャリアを備えたソケットコネクタが、ヘッダ本体と係合するように構成される。キャリアは、複数の電気ケーブルコネクタを収容する。複数のケーブルコネクタはそれぞれ、電気的絶縁性内部筐体を収容した導電性外部筐体を備える。内部筐体は、少なくとも１つの導電性端子を外部筐体から電気的に絶縁させた状態に保つ。内部筐体は、ヘッダコネクタの複数のシールドブレードのうちの１つを受けるキャビティを含み、外部筐体は、シールドブレードと電気的に結合するための接点を含む。
【０００７】
本発明による別の実施形態では、電気コネクタアセンブリが、少なくとも１つの信号線を有する少なくとも１つの電気信号伝送ケーブルを備える。絶縁性キャリアを備えたソケットコネクタが、少なくとも１つのケーブルコネクタを収容する。少なくとも１つのケーブルコネクタは、内部に絶縁性内部筐体を有する導電性外部筐体を含む。内部筐体は、第１の導電性端子が外部筐体から電気的に絶縁された状態に保つ。第１の端子の一端は、少なくとも１つのケーブルの第１の信号線に接続され、他端に第１の接点を有する。内部筐体は、その中にシールドブレードを受けるキャビティを含み、外部筐体は、内部筐体に収容されるシールドブレードと電気的に結合するための第１の接点を含む。
【発明を実施するための最良の形態】
【０００８】
以下の好ましい実施形態の詳細な説明では、本発明の一部をなし、本発明を実施することができる特定の実施形態を例として示す添付図面を参照する。他の実施形態を利用することも可能であり、構造的または論理的な変更を、本発明の範囲から逸脱することなく行うことが可能なことを理解されたい。したがって、以下の詳細な説明は限定の意味で解釈されるべきではなく、本発明の範囲は添付の特許請求の範囲によって規定される。
【０００９】
図１、図２、および図３は、本発明による低インダクタンスシールドコネクタと併せて使用されるヘッダコネクタ１００を示す。ヘッダコネクタ１００は、プリント回路基板３０に取り付けられ、相手方ソケットコネクタ２００（図４に示す）に接続するように構成される。ヘッダコネクタ１００は、ヘッダ本体１０２、複数の信号ピン１０４、およびその中に複数のシールドブレード１０６が形成された材料の連続ストリップを含む。ヘッダ本体１０２は、垂直前壁１１０ならびに上部および下部において横方向に延在し、ヘッダ本体１０２から垂直に突出する水平壁１１２および１１４を含むように形成される。前壁１１０は、複数の第１の信号ピン受け開口部１１６および複数の第２のシールドブレード受け開口部１１８を含むように形成され、これらはすべて前壁１１０の内面１２２と外面１２４との間に延在する。複数の第２のシールドブレード受け開口部１１８は、略直角の断面を有するように形成される。開口部１１６、１１８は、内面１２２および外面１２４のうちの一方または両方に面取りした入口を備えて、ピン１０４およびシールドブレード１０６の挿入を助けることができる。
【００１０】
複数の信号ピン１０４は、ヘッダコネクタ１００の複数の第１の信号ピン受け開口部１１６に挿入されて信号ピン１０４のアレイを形成するように構成され、信号ピン１０４は、相手方ソケットコネクタ２００（図６に示す）がヘッドコネクタ１００に挿入されるときに、相手方ソケットコネクタ２００の信号ピン挿入窓２５０のアレイに収容されるように構成される。各信号ピン１０４は、ヘッダコネクタ１００の前壁１１０を超えて延在する第１の端部１５２、および第１の端部１５２から離れ、プリント回路基板３０の開口部３２に挿入するように構成される第２の端部１５４を含む。
【００１１】
複数のシールドブレード１０６はそれぞれ、複数の第２の、略直角のシールドブレード受け開口部１１８に挿入されるように構成される略直角シールド部１２８を含むように構成される。複数のシールドブレード１０６のそれぞれの略直角シールド部１２８は、略垂直になった第１の脚部１３０および第２の脚部１３２を含む。各シールドブレード１０６は第１の端部１６２を含む。好ましくは、略直角シールド部１２８は、前壁の内面１２２まで延在する。ヘッダ本体１０２に挿入されると、シールドブレード１０６の第１の端部１６２は、信号ピン１０４に隣接して、ヘッダコネクタ１００の前壁１１０の内面１２２の平面を超えて延在する。シールドブレード１０６の各ストリップは、少なくとも１つのシールドテール１４８も含む。シールドテール１４８の数は、シールドブレード１０６の数と同じであっても異なってもよい。各シールドテール１４８の第２の端部１６４は第１の端部１６２から離れ、信号ピン１０４の第２の端部１５４に隣接してプリント回路基板３０の穴３４に挿入されるように構成される。一実施形態では、シールドブレード１０６のテール１４８は、プリント回路基板３０内の接地板４０に電気的に接続される。好ましい実施形態では、シールドブレード１０６は共通に接地される。代替の実施形態では、シールドブレードは共通に接地されない。別の代替の実施形態では、少なくとも１つの信号ピン１０４が接地板４０に電気的に接続され、接地板を介して少なくともシールドブレード１０６と共通に接地される。
【００１２】
図３に示すように、第１の信号ピン受け開口部１１６および第２のシールドブレード受け開口部１１８は、シールドブレード１０６の略直角シールド部１２８が、信号ピン１０４を実質的に囲って複数の信号ピン１０４のそれぞれの周囲に同軸シールドを形成するように、ヘッダ本体１０２の前壁１１０に対称に配置される。複数の第２の、略直角のシールドブレード受け開口部１１８はそれぞれ、第１および第２の狭スロート部１４０および１４２により第１および第２の端部１３６および１３８に結合された中央部１３４を含む。第１および第２の狭スロート部１４０および１４２は、シールドブレード１０６の第１および第２の脚部１３０および１３２に摩擦係合して、シールドブレード１０６を定位置に保持するような寸法を有する。複数の第２の略直角開口部１１８のそれぞれの中央部１３４、第１の端部１３６、および第２の端部１３８は、シールドブレード１０６の略直角シールド部１２８を囲むエアギャップ１４４を提供するように形成される。エアギャップ１４４の幾何学的形状および寸法、直角シールド部１２８の幾何学的形状、寸法、および材料、ならびに、エアギャップ１４４を囲むヘッダ本体１０２の幾何学的形状、寸法、および材料は、指定されたインピーダンス（たとえば、５０オーム）に合うようにヘッダコネクタ１００を調整するように構成される。直角シールドブレード１０６の構成は、材料の使用量を節減する様式で連続ストリップにて大量生産するのに適している。
【００１３】
複数の信号ピン１０４はそれぞれピンテール１４６を含み、シールドブレード１０６の各ストリップは少なくとも１つのシールドテール１４８を含む。シールドテール１４８の数は、シールドブレード１０６の数と同じであっても異なってもよい。好ましい実施形態では、シールドブレード１０６の各ストリップは、２つのシールドブレード１０６毎に１つずつ、複数のシールドテール１４８を有し、この場合、シールドテール１４８は互い違いに、シールドブレード１０６のストリップに沿って１つ置きのシールドブレード１０６に位置合わせされる。代替の実施形態では、シールドテール１４８がシールドブレード１０６のストリップの長さに沿って均等にまたは非均等に離間された状態で、他の比のシールドテール１４８対シールドブレード１０６を設けてもよい。シールドブレード１０６上に互い違いになったシールドテール１４８を有する実施形態は、プリント回路基板上のヘッダコネクタ１００を背面装着する際に特に有用であり、これは、互い違いになったシールドテール１４８により、対向したヘッダコネクタ１００のシールドテール１４８間に邪魔がない状態でヘッダコネクタ１００同士を背面装着できるためである。好ましい実施形態では、ピンテール１４６およびシールドテール１４８は、背面装着されたヘッダコネクタを互いに直交するように取り付けることができるように等間隔の行列に位置決めされる。信号ピン１０４およびシールドブレード１０６がヘッダ本体１０２の前壁１１０に挿入されると、ピンテール１４６およびシールドテール１４８は、前壁１１０の外面１２４から外側に向けて延在する。ヘッダ１００のピンテール１４６およびシールドテール１４８は、プリント回路基板３０の穴３２、３４に圧入させるか、または穴３２、３４にハンダ付けすることができる。別法として、ピンテール１４６およびシールドテール１４８は代わりにプリント回路基板３０に表面実装してもよい。
【００１４】
ソケットコネクタ２００の一実施形態を、ソケットコネクタ２００がヘッダ１００と嵌合した状態で図４に示す。ソケットコネクタ２００は、ヘッダ本体１０２と嵌合するように構成される絶縁性キャリア２１０を備える。図６および図７に最もよく見られるように、絶縁性キャリア２１０は、前壁２１２および横方向に延在し、絶縁性キャリア２１０から垂直に突出した４つの側壁２１４ａ、２１４ｂ、２１４ｃ、２１４ｄを含む。前壁２１２および側壁２１４ａ、２１４ｂ、２１４ｃ、２１４ｄは、キャリア２１０の内部２１６を画定する。本発明による一実施形態では、ヘッダ１００およびソケットコネクタ２００は、業界規格ＩＥＣ６１０７６−４−１０１に従って構成される。各実施形態では、少なくとも１つ、通常は複数の個々に交換可能なケーブルコネクタ２２０が、キャリア２１０の内部に配置され、各ケーブルコネクタ２２０は対応する信号伝送ケーブル２７０を終端する。ケーブル２７０は、たとえば同軸ケーブルまたは二軸ケーブルであってよい。性能向上のために、ケーブルは好ましくはシールドケーブルである。しかし、ケーブルコネクタ２２０はシールドの付いていないケーブル２７０との併用にも適している。
【００１５】
図５ａおよび図５ｂにおいて最もよく見られるように、ケーブルコネクタ２２０はそれぞれ、導電性外部筐体２２２を含む。シールドケーブルと使用する場合、導電性外部筐体２２２は、外部筐体２２２のハンダ穴２２４を使用して外部筐体２２２をケーブルのシールドブレードにハンダ付けすることなどにより、対応するケーブル２７０のシールド２７２に電気的に接続される。外部筐体は、第１の導電性端子２２８および第２の導電性端子２３０を互いに、かつ外部筐体２２２から電気的に絶縁された状態に保つように構成される絶縁性内部筐体２２６を収容する。図示の実施形態は第１および第２の導電性端子２２８、２３０のみを含むが、本発明から逸脱することなく追加の導電性端子を含めてもよいことが理解されるであろう。たとえば、他の実施形態では、各ケーブルコネクタは３、４、５、または６以上の導電性端子を含み得る。別法として、絶縁性キャリア２１０に収容されるケーブルコネクタ２２０は異なる数の導電性端子を有してよい。各端子２２８、２３０は、第１の端部２３２（コネクタ２２０の隣接する前端すなわち係合端）に構成されて、ヘッダ１００の信号ピン１０４と電気的に接続する。第１の端部２３２は、ビーム、バンプ、ディンプルまたは他の弾性的に屈折可能な構造を含む、ピン１０４に接続する任意適当な様式で構成することができる。各端子２２８、２３０が、第２の端部２３４（第１の端部２３２に対向し、コネクタ２２０の後端付近にある）に構成されて、対応するケーブル２７０の導体２３５と電気的に接続する。第２の端部２３４は、ハンダ付けまたはクリンプ加工等によってケーブル２７０の導体２３５に接続するように任意適当な様式で構成することができる。対応するケーブル２７０の導体は、特定の用途に応じて信号線または接地線であってよい。図５ａおよび図５ｂに示す実施形態では、端子２２８、２３０は、ケーブル２７０の信号線２３５に接続された後、内部筐体２２６に挿入され、内部筐体２２６は、内部筐体２２６および外部筐体２２２のそれぞれが、内部筐体２２６の突起２３６と外部筐体２２２の穴２３７との相互作用によってスナップ嵌め係合して固定されるまで外部筐体２２２の後端に摺動して挿入される。
【００１６】
内部筐体２２６は、ケーブルコネクタ２２０の前端に隣接して開口部２３８を含む。開口部２３８は、ヘッダ１００のシールドブレード１０６を第１の端子２２８と第２の端子２３０との間で受けるように構成される。導電性外部筐体２２２は、第１の端子２２８と第２の端子２３０との間の開口部２３８で受けたシールドブレード１０６と電気的に結合するための第１の接点２４０を含む。他の実施形態では、外部筐体２２２は、ヘッダ１００の別のシールドブレード１０６と電気的に結合するための、外部筐体２２２の外面２４４にある少なくとも１つの接点２４２を含む。図６に示す実施形態では、ヘッダ１００の第２および第３のシールドブレード１０６と電気的に結合するための第２の接点２４２ａおよび第３の接点２４２ｂが、外部筐体２２２の外面２４４に設けられる。好ましくは、外部筐体２２２の外面２４４にある接点２４２ａ、２４２ｂは、外部筐体２２２の最外周からわずかに窪み、直接隣接したケーブルコネクタ２２０同士の間にシールドブレード１０６のためのスペースを提供する。外部筐体２２２の接点は、ビーム、バンプ、ディンプル、または他の弾性的に屈折可能な構造を含む任意適当な設計のものであってよい。３つ以上の端子を有する代替の実施形態では、接地ブレード１０６を受けるための開口部２３８がすべての隣接端子間に設けられるように、内部筐体２２６に追加の開口部２３８が設けられる。たとえば、３つの端子を有するケーブルコネクタは２つの開口部を有することになり、４つの端子を有するケーブルコネクタは３つの開口部を有することになり、以下同様である。
【００１７】
個々のケーブルコネクタ２２０は、図６および図７に最もよく示されるように、絶縁性キャリア２１０の内部２１６内に位置決めされて保持される。キャリア２１０の前壁２１２は、複数の信号ピン受け開口部２５０および複数のシールドブレード受け開口部２５２を含むように形成され、これら開口部２５０および２５２はすべて、前壁２１２の外面２５４と内面２５６との間に延在する。開口部２５０、２５２は、ケーブルコネクタ２２０がキャリア２１０に位置決めされたときに、ケーブルコネクタ２２０の端子２２８、２３０および接地端子２４２、２４２ａ、２４２ｂの位置に対応するように位置決めされる。複数の信号ピン受け開口部２５０は略円形の断面を有するように構成され、その一方で複数のシールドブレード受け開口部２５２は略矩形の断面を有するように形成される。開口部２５０、２５２は、相手方の信号ピンおよびシールドブレード１０６の断面形状に応じて他の断面形を有してよい。開口部２５０、２５２は、ピン１０４およびシールドブレード１０６の挿入を助けるために外面２５４に面取りした入口を備えてよい。
【００１８】
位置決めポスト２６０が前壁２１２の内面２５６から延在し、位置決めポスト２６０は、個々のケーブルコネクタ２２０（図７に破線で示す）がキャリア２１０内に脱着自在に保持されるような形状を有するとともに互いに離間される。追加の位置決め機構２６２を１つまたは複数の側壁２１４ａ、２１４ｂ、２１４ｃ、２１４ｄの内面に設けて、ケーブルコネクタ２２０の位置決めおよび保持を支援してよい。すべてのケーブルコネクタ２２０は、キャリア２１０に装填された後、保持クリップ２６６によりキャリア２１０に固定される。保持クリップ２６６は、キャリア２１０の側壁２１４ａ、２１４ｂの開口部２６８を通して、ケーブルコネクタ２２０の挿入方向を横切る方向に挿入されて、ケーブルコネクタ２２０の背後に位置決めされる。保持クリップ２６６は好ましくは、弾性ラッチアーム等によりキャリア２１０に着脱自在に固定され、したがって必要であれば、１つまたは複数のケーブルコネクタ２２０の修理または交換のために保持クリップ２６６を取り外すことが可能である。
【００１９】
図４に示すように、キャリア２１０にはケーブルシュラウド２６９も係合することが好ましい。ケーブルシュラウド２６９は、ケーブル２７０がキャリア２１０から出るに際してケーブル２７０を保護しガイドする。一実施形態では、ケーブルシュラウド２６８は、ロープロファイル接続が提供されるようにケーブル２７０をソケットコネクタ２００の係合方向に対して角度をなしてガイドする。あるロープロファイルシステムでは、ケーブルシュラウド２６９はケーブル２７０を直角に曲がるようにガイドし、ここで、曲げ半径はケーブル直径のおよそ１０倍以下である。
【００２０】
ヘッダ１００とソケット２００が係合したときに生じる、個々のケーブルコネクタ２２０とヘッダ１００の信号ピン１０４およびシールドブレード１０６との相互作用は、ケーブルコネクタ、信号ピン１０４、およびシールドブレード１０６のみが示される図８において最もよく見られる。図８において明確に見て取れるように、信号ピン１０４はケーブルコネクタ２２０内の端子２２８、２３０で受けられ、その一方でシールドブレード１０６は、各コネクタ２２０内の隣接する端子間の開口部２３８、および隣接するケーブルコネクタ２２０間の窪み領域で受けられる。隣接するケーブルコネクタ２２０間の窪み領域内のシールドブレード１０６は、両方のケーブルコネクタ２２０と電気的に係合する。図示の実施形態では、隣接する端子／接地ピンはそれぞれ接地路によって隔てられる。しかし、本発明による他の実施形態では、接地路に隣接するあらゆる端子／接地ピンの間に設ける必要はない。複数の接地路をコネクタシステムに設けることで、コネクタシステムに安定したインピーダンス特性がもたらされる。特に、コネクタシステムに複数の接地路があることにより、単一の接地路の故障に起因するコネクタ全体および個々の信号線のインピーダンス特性への影響が小さくなる、または最小限に抑えられる。
【００２１】
ヘッダコネクタ１００およびソケットコネクタ２００のプラスチックパーツはすべて、液晶ポリマー（「ＬＣＰ」）等の適した熱可塑性材料から、意図する用途に所望の機械的特性および電気的特性を有して成形される。導電性金属パーツは、たとえばメッキを施した銅合金材料から作られるが、他の適した材料も当業者には認められるであろう。コネクタの材料、幾何学的形状、および寸法はすべて、パーツ全体を通して指定されたインピーダンスを保つように設計される。
【００２２】
好ましい実施形態の説明を目的として本明細書において特定の実施形態を図示し説明したが、本発明の範囲から逸脱せずに、同じ目的を達成するように計算された様々な代替および／または等価の実施態様で、図示し説明した特定の実施形態を置き換えられることが当業者に理解されるであろう。機械分野、電気機械分野、および電気分野での当業者は、本発明を非常に広く様々な実施形態で実施可能なことを容易に理解するであろう。本願は、本明細書において考察した好ましい実施形態の適応または変形をすべて包含するものである。したがって、明らかに、本発明は特許請求の範囲およびその均等物によってのみ限定されるものである。
【図面の簡単な説明】
【００２３】
【図１】オスピン接点およびシールドブレードのアレイを有する、本発明によるヘッダコネクタの分解組立斜視図である。
【図２】図１のシールドブレードの連続ストリップの斜視図である。
【図３】各信号ピンの周囲に同軸シールドを形成するシールドブレード直角部で囲まれた信号ピンを示す、ヘッダコネクタの前壁の断面図である。
【図４】図１〜図３のヘッダコネクタと嵌合した、本発明によるソケットコネクタを示す斜視図である。
【図５ａ】図４のソケットコネクタで使用される個々のケーブルコネクタを示す斜視図である。
【図５ｂ】外部筐体および内部筐体が取り外された状態の、図５ａのケーブルコネクタの斜視図である。
【図６】図４のソケットコネクタの嵌合面を示す斜視図である。
【図７】ケーブルコネクタがキャリアから取り外された状態の、図６のソケットキャリアの上面図である。
【図８】図４の嵌合したソケットコネクタとヘッダコネクタのケーブルコネクタ、信号ピン、およびシールドブレードの図である。
【符号の説明】
【００２４】
１０６  シールドブレード
２１０  絶縁キャリア
２２０  ケーブルコネクタ
２２２  導電性外部筐体
２２６  内部筐体
２２８  第１の端子
２３０  第２の端子
２４０  第１の接点
【図１】
2007535112.tif 000003
【図２】
2007535112.tif 000004
【図３】
2007535112.tif 000005
【図４】
2007535112.tif 000006
【図５ａ】
2007535112.tif 000007
【図５ｂ】
2007535112.tif 000008
【図６】
2007535112.tif 000009
【図７】
2007535112.tif 000010
【図８】
2007535112.tif 000011
【国際調査報告】
2007535112.tif 000012
2007535112.tif 000013
2007535112.tif 000014